(57)【要約】【課題】従来は後処理装置へ用紙を搬送する場合、手動によりバッファプレートを所定の位置に調整し、またサクションシャッタの開閉操作も必要となり、操作性が悪く、スループットが低下するという問題がある。【解決手段】用紙吸引機構を用紙搬送ベルトにより用紙搬送可能とし、また、バッファプレートが有る場合には、バッファプレートの角度検出手段を設け、バッファプレートの角度を検出し、バッファプレートの角度と、所定のバッファプレートの調整位置との差に基づいて、用紙吸引機構による用紙搬送を加減速制御することにより解決される。【選択図】  図１
2008230185.tif 000002
【特許請求の範囲】
【請求項１】
長尺状の用紙を搬送する用紙搬送機構と、前記用紙に画像を形成する画像形成手段と、形成された画像を用紙に定着させるための定着機構を備えた印刷装置において、前記定着機構の用紙搬送経路上の入り口付近に、前記用紙を吸着しながら搬送するための吸着搬送機構を備えたことを特徴とする印刷装置。
【請求項２】
請求項１記載の印刷装置において、前記吸着搬送機構は、一定間隔で複数個の小径の穴を表面に有する搬送ベルトと、前記搬送ベルトを駆動するローラシャフトと、前記ローラシャフトを駆動するモータと、前記搬送ベルトに開けられた穴を通して用紙を吸引しベルトに吸着するためのサクションブロアで構成されることを特徴とする印刷装置。
【請求項３】
請求項１記載の印刷装置において、前記用紙搬送機構から前記定着機構までの間の用紙に一定の張力を与える為のバッファプレートと、該バッファプレートの角度を検出する角度検出手段と、画像を定着した用紙を印刷装置外へ排出する用紙排出機構と、前記吸着搬送機構の速度を可変する速度制御手段とを有し、前記用紙搬送機構と前記用紙排出機構とで用紙搬送を行う場合には、前記角度検出手段により前記バッファプレートの角度を検出し、バッファプレートが所定の角度となるように前記吸着搬送機構の速度を制御することを特徴とする印刷装置。
【発明の詳細な説明】
【技術分野】
【０００１】
本発明は、電子写真方式の印刷装置に係り、特にそれの吸着搬送機構に関するものである。
【背景技術】
【０００２】
従来の印刷装置の例を図６に示す。用紙Ｗは用紙搬送機構６により搬送され、画像形成手段５により用紙Ｗの表面に画像が形成される。画像を用紙Ｗに熱定着させる定着部には予熱プレート１２と用紙Ｗとの密着性を上げるため、また、非印刷時の用紙の位置ずれを防止するために、用紙を吸引する機構を備えている。
【０００３】
このような吸引機構としては、例えば特許文献１が知られている。図２は従来例による用紙吸引機構の概略図である。用紙吸引機構１９は中空の箱の形状をしており、ホース１１は一端を用紙吸引機構１９に、他端を吸引力を発生させるサクショブロア１８に接続されている。用紙吸引機構１９に用紙Ｗが接触する上面には、小径の穴２が均一に設けられ、用紙吸引機構内はサクションシャッタ３により区切られ、図２のＡの領域が用紙吸引状態、Ｂの領域が非吸引状態となる。
【０００４】
前記サクションシャッタ３は例えばワイヤに接続され、プーリを介してモータにより水平方向に駆動される。サクションシャッタ３を用紙幅に応じて駆動することにより、用紙Ｗを吸引することが可能となる。
【０００５】
ここで、長尺状の用紙を印刷可能な印刷装置においては、印刷装置の後段に、印刷された用紙の巻き取り、あるいは裁断等の処理を実施する後処理装置が配置されており、その後処理装置まで用紙Ｗを搬送する必要がある。通常、印刷装置には非印刷動作時に用紙Ｗを手動にて搬送するためのスイッチが備えてあり、スイッチを押下することにより用紙搬送機構部が用紙Ｗを搬送する。以下、前記スイッチ押下による用紙搬送をマニュアル用紙搬送とする。
【０００６】
後処理装置へと用紙を搬送する手順に関して説明する。定着部は、用紙上に形成された画像を加圧加熱することにより定着する加熱ローラ８と加圧ローラ９を備えており、加熱ローラ８と加圧ローラ９が用紙Ｗを挟んだ状態で回転することにより、用紙Ｗを搬送する。更に、用紙Ｗはプラー機構１３により、印刷装置外へ排出される。この時、プラー機構１３は用紙Ｗを破断させないように弱い搬送力で用紙を搬送している。
【０００７】
ところが、非印刷時には加熱ローラ８と加圧ローラ９は接触していない。よって、非印刷時に用紙Ｗを搬送する場合には、プラー機構１３の弱い搬送力では用紙Ｗを搬送できないため、用紙吸引機構１９による用紙吸引を停止する必要がある。上述した従来方式において後処理装置へと用紙を搬送する場合には、まず用紙吸引機構１９を非吸引状態に切り替えるためにサクションシャッタ３を図２の３’の位置まで移動させる必要がある。用紙吸引機構１９が非吸引状態となった後、マニュアル用紙搬送により用紙Ｗを搬送する。
【０００８】
必要な距離だけ用紙を搬送完了したら、印刷の準備として再び用紙吸引機構１９を用紙吸引状態とするため、サクションシャッタ３を駆動することになる。また、連続紙の印刷装置においては、用紙搬送機構部から定着部までの搬送経路上には、用紙に一定の張力を与える為のバッファプレート７が備わっている場合が多くある。この場合、上述した動作に加え、マニュアル用紙搬送中には、前記バッファプレート７が所定の角度となるように手動にてバッファプレート７の角度を調整する必要があった。
【０００９】
【特許文献１】実公昭６２−４６６７８号公報
【発明の開示】
【発明が解決しようとする課題】
【００１０】
上述したように、従来は後処理装置へ用紙を搬送する場合には、手動によりバッファプレートを所定の位置に調整し、またサクションシャッタの開閉操作も必要となり、操作性が悪く、スループットが低下するという問題がある。
【００１１】
本発明の目的は、このような従来技術における問題を解決し、操作性ならびにスループットの向上が図れる印刷装置を提供することにある。
【課題を解決するための手段】
【００１２】
前記目的を達成するため本発明は、用紙吸引機構を用紙搬送ベルトにより用紙搬送可能とし、また、バッファプレートが有る場合には、バッファプレートの角度検出手段を設け、バッファプレートの角度を検出し、バッファプレートの角度と、所定のバッファプレートの調整位置との差に基づいて、用紙吸引機構による用紙搬送を加減速制御することを特徴とするものである。
【発明の効果】
【００１３】
本発明によれば、マニュアル用紙搬送スイッチの押下以外の操作を必要とせずに、非印刷時の用紙搬送後に印刷が即可能となり、操作性の向上、スループットの向上が可能となる。
【発明を実施するための最良の形態】
【００１４】
以下、本発明の実施例を図面を参照しながら説明する。まず、本発明による用紙吸引機構の模式図を図３、図４に示す。用紙吸引機構の構成としては、一定間隔で複数個の小径の穴２を有するゴム素材等の用紙搬送用ベルト１と、前記搬送ベルト１を駆動するローラシャフト４と、ローラシャフトを駆動するためのモータ１５の構成により用紙を搬送する。
【００１５】
また、用紙を搬送ベルト１に吸着するために、サクションブロア１８により、搬送ベルトに開けられた穴２を通して用紙は吸引される。これら説明した本発明による用紙吸引機構を以下、用紙吸引ベルト機構とする。用紙吸引ベルト機構１０では、用紙幅に対応した領域のみ吸引状態とする必要があるため、用紙吸引ベルト機構１０にはサクションシャッタ３を設けることにより、吸引領域と非吸引領域とを区切る。サクションシャッタ３は、例えばワイヤに接続され、プーリを介してモータにより用紙幅方向に駆動される。
【００１６】
図１は用紙吸引ベルト機構を備えた印刷装置の概略図である。用紙吸引ベルト機構１０は、加熱ローラ８および加圧ローラ９および予熱プレート１２からなる定着部の搬送経路上の入り口付近に設ける。
【００１７】
次に、後処理装置へのマニュアル用紙搬送動作に関して説明する。用紙装填完了後には、用紙幅に対応した位置にサクションシャッタ３は設定されている。この状態から後処理装置へと用紙Ｗを搬送する場合、マニュアル用紙搬送スイッチを押下することにより用紙搬送機構６による用紙搬送動作が開始される。この時、用紙搬送機構６に連動して,用紙吸引ベルト機構１０及びプラー機構１３も用紙搬送動作を開始することにより、用紙は安定して印刷装置外部へと搬送されて行く。
【００１８】
次に、用紙搬送機構部６から定着部までの搬送経路上に、用紙Ｗに一定の張力を与える為のバッファプレート７が備わっている場合に関して説明する。図５は印刷装置の制御ブロック図である。用紙吸引ベルト機構１０の用紙搬送用のモータを吸引搬送ベルトモータ１５、用紙搬送機構の用紙搬送用モータを用紙搬送モータ１６、プラー機構のモータをプラーモータ１７とする。
【００１９】
まず、前記バッファプレート７の角度を検出するために、角度検出手段２０を設ける。角度検出手段としては、例えば当該業者にとっては既知である角度センサを使用してもよい。
【００２０】
ここで、バッファプレート７の所定の調整位置をニュートラルポジションと定義する。後処理装置へのマニュアル用紙搬送動作において、マニュアル用紙搬送スイッチが押下されると、印刷装置を制御するＣＰＵ１４は用紙搬送用モータ１６、吸引搬送ベルトモータ１５およびプラーモータ１７の駆動をそれぞれのドライバを介して指示することが出来る。
【００２１】
ＣＰＵ１４はマニュアル用紙搬送中のバッファプレート７の角度を、角度検出手段によって認識する。この時の角度とニュートラルポジションとを比較た結果に応じて、ＣＰＵ１４は吸引搬送ベルトモータ１５の速度をドライバを介して加減速制御する。即ち、バッファプレート７の角度がニュートラルポジションよりも上側にある場合には、用紙吸引ベルト機構１０による用紙搬送速度を加速する。逆にバッファプレート７の角度がニュートラルポジションよりも下側にある場合には、用紙吸引ベルト機構１０による用紙搬送速度を減速する。
【００２２】
以上の動作によれば、用紙吸引ベルト機構１０を非吸引状態にする必要がない為、サクションシャッタ３の操作が不要となり、更にマニュアル用紙搬送動作が完了した時点で、バッファプレート７がニュートラルポジションを保っているため、バッファプレート７の角度調整操作が不要となる。よって、マニュアル用紙搬送の操作性を向上させ、操作時間を大幅に短縮させることが可能となる。
【図面の簡単な説明】
【００２３】
【図１】本発明による印刷装置の概略構成図である。
【図２】従来のサクション機構部である。
【図３】本発明によるサクション機構図である。
【図４】本発明によるサクション機構図である。
【図５】本発明による制御ブロック図である。
【図６】従来の印刷装置の概略構成図である。
【符号の説明】
【００２４】
１…搬送ベルト、２…吸引用の穴、３…サクションシャッタ、４…ローラシャフト、５…画像形成手段、６…用紙搬送機構、７…バッファプレート、８…加熱ローラ、９…加圧ローラ、１０…用紙吸引ベルト機構、１１…サクションホース、１２…予熱プレート、１３…プラー機構、１４…ＣＰＵ、１５…吸引搬送ベルトモータ、１６…用紙搬送モータ、１７…プラーモータ、１８…サクションブロア、１９…用紙吸引機構、２０…角度検出手段、Ｗ…用紙。
【図１】
2008230185.tif 000003
【図２】
2008230185.tif 000004
【図３】
2008230185.tif 000005
【図４】
2008230185.tif 000006
【図５】
2008230185.tif 000007
【図６】
2008230185.tif 000008